(57)【要約】【課題】  ベルトクリップの厚みを小にして、ケース幅が大の巻尺を保持する際も違和感なく保持することができ、また、巻尺やクリップ本体の引っ掛り等による腰ベルトからのベルトクリップの脱落も確実に防止することができる巻尺用ベルトクリップを提供する。【解決手段】  ベルトクリップ１を、前面に巻尺保持用のマグネット３を備えるクリップ本体２と、このクリップ本体２の背面上部から後方に垂下し、上記クリップ本体２の背面との間にベルト５を巻き込むことのできる空間８を形成する弾性復元力を有するクリップ片４とより構成し、このクリップ片４の折曲片部４ａの前辺部４ｂを、クリップ本体２の背面に設ける凹部２ａ内に臨ませる構成とした。【選択図】  図１
2008145331.tif 000002
【特許請求の範囲】
【請求項１】
前面に巻尺を保持するための保持手段を備えるクリップ本体と、このクリップ本体の背面上部から後方に垂下し、上記クリップ本体の背面との間にベルトを巻き込むことのできる空間を形成するクリップ片とよりなり、これらクリップ本体とクリップ片のうちの少なくともいずれか一方は弾性を有していて下部間が外力によって離間可能であり、かつ弾性復元力によって初期位置に復帰できるように構成してあって、前記クリップ片の下端辺に続いて前方へ向かう折曲片部を設け、かつ、この折曲片部の前辺部に対向する前記クリップ本体の背面に凹部を設け、この凹部内に前記折曲片部の前辺部を臨ませてなる巻尺用ベルトクリップ。
【請求項２】
前記折曲片部の前辺部に、さらに上方に立ち上がる縁片を設け、この縁片が前記凹部内に臨むように構成してなる請求項１に記載の巻尺用ベルトクリップ。
【請求項３】
前記凹部とクリップ片前辺部に、互いに係脱可能な係合手段を設けてなる請求項１または２に記載の巻尺用ベルトクリップ。
【請求項４】
前記係合手段を、前記凹部内に設けた係合凹部と、前辺部に設けた凸部とがスナップ係合するように構成してなる請求項３に記載の巻尺用ベルトクリップ。
【請求項５】
前記係合手段を、前記凹部内に設けた通孔と、前辺部に設けた凸部とがスナップ係合するように構成し、これら凹部と凸部との係合状態においては、上記凸部が通孔を貫通してクリップ本体の前面側へ臨むように構成してなる請求項４に記載の巻尺用ベルトクリップ。
【発明の詳細な説明】
【技術分野】
【０００１】
本発明は、作業者の腰ベルトに係着して、巻尺を携帯するために用いる巻尺用ベルトクリップに関し、より詳しくは、巻尺やクリップ本体の引っ掛り等により発生するベルトクリップの腰ベルトからの脱落を確実に防止できる巻尺用ベルトクリップに関する。
【背景技術】
【０００２】
従来、作業者の腰ベルトに係着して用いる巻尺用のベルトクリップには、例えば特許文献１に示されるようなものがある。
【０００３】
このベルトクリップのクリップ片、すなわち巻尺を保持するクリップ本体の背面側に設けているクリップ片は、クリップ片の弾性復元力によって初期位置に復帰している際、クリップ片下方の遊端部がクリップ本体の背面に当接する状態になっていて、クリップ片とクリップ本体により作業者の腰ベルトが入る空間（通孔）を形成するようになっている。
【０００４】
そして、このベルトクリップを作業者の腰ベルトに係着する際は、クリップ本体面に当接するクリップ片の遊端部を後方へ引いてクリップ本体面から遊端部を引き離し、これにより遊端部とクリップ本体面との間に生じた隙間から腰ベルトを、前述するクリップ片とクリップ本体により形成される空間（通孔）内に入れ込んで、ベルトクリップを作業者の腰ベルトに係着するようになっている。
【０００５】
しかしながらこのベルトクリップのように、復帰位置にあるクリップ片の遊端部がクリップ本体面に当接するようになっているものは、作業中にクリップ本体やクリップ本体に保持する巻尺が外部部材等に引っ掛かった際、クリップ本体が引っ張られて、クリップ片の遊端部とクリップ本体面との間に隙間が生じ、この隙間より腰ベルトがはみ出し、これを知らずにクリップ本体やクリップ本体に保持する巻尺を上方に押す力が加わった場合は、ベルトクリップが腰ベルトから脱落する懼れがあった。
【０００６】
このため上述した従来のものでは、図１１に示すようにクリップ片１３の折曲片部１３ａの前辺部１３ｂを上方に立上げた縁片１３ｃの遊端部１３ｄに近接して凸部１２ａをクリップ本体１２に形成し、また作業者の腰ベルト１４に係着した際、腰ベルト１４を凸部１２ａ上に位置させるととともに腰ベルト１４の下端を縁片１３ｃの遊端部１３ｄより下方に位置させるようにして、クリップ本体やクリップ本体に保持する巻尺が何らかの部材に引っ掛かった場合でも、クリップ片１３の前辺部１３ｂとクリップ本体１２の内面との間に生じた隙間より腰ベルト１４がはみ出すことがないようにしている。
【０００７】
上述した従来のものでは上記凸部の構成によって、腰ベルトのはみ出しが防止され、ベルトクリップの腰ベルトからの脱落を防止できたのであるが、クリップ片とクリップ本体により形成される腰ベルトを入れるための空間（通孔）は、クリップ本体の凸部およびクリップ片の縁片に並んで作業者の腰ベルトが入る幅の空間が必要となり、また、クリップ本体やクリップ本体に保持する巻尺が引っ掛かった際にクリップ片が腰ベルトによって引っ張られるため、この引っ張りに耐えられるようクリップ片の折曲片部および縁片は強度を大にするために太く形成されることがあった。
【０００８】
したがって、上述のことからベルトクリップの厚みはより大になり、巻尺をこのベルトクリップに保持した際、作業者すなわち人間が受ける感覚としては、巻尺が大に外方に飛び出して保持されるような保持感覚になっていた。特に、長い測定距離を測るための測定テープ幅を大にする巻尺においてはケース幅も大であるので、非常に違和感のある保持感覚であって、このため作業への集中力が欠落し災害発生の一原因になる懼れがあった。
【０００９】
【特許文献１】特開２００６−９０７２９号公報（１〜６頁、図１〜５）
【発明の開示】
【発明が解決しようとする課題】
【００１０】
本発明は、ベルトクリップの厚みを小にして、ケース幅が大の巻尺を保持する際も違和感なく保持することができ、また、巻尺やクリップ本体の引っ掛り等による腰ベルトからのベルトクリップの脱落も確実に防止することができる巻尺用ベルトクリップを提供できるようにした。
【課題を解決するための手段】
【００１１】
上述した課題を解決するために、本発明に係る巻尺用ベルトクリップは、前面に巻尺を保持するための保持手段を備えるクリップ本体と、このクリップ本体の背面上部から後方に垂下し、上記クリップ本体の背面との間にベルトを巻き込むことのできる空間を形成するクリップ片とよりなり、これらクリップ本体とクリップ片のうちの少なくともいずれか一方は弾性を有していて下部間が外力によって離間可能であり、かつ弾性復元力によって初期位置に復帰できるように構成してあって、前記クリップ片の下端辺に続いて前方へ向かう折曲片部を設け、かつ、この折曲片部の前辺部に対向する前記クリップ本体の背面に凹部を設け、この凹部内に前記折曲片部の前辺部を臨ませた構成のものとしてある。
【００１２】
また前記折曲片部の前辺部に、さらに上方に立ち上がる縁片を設け、この縁片が前記凹部内に臨むように構成したものとしてある。
【００１３】
さらに前記凹部とクリップ片前辺部に、互いに係脱可能な係合手段を設けたものとしてある。
【００１４】
また前記係合手段を、前記凹部内に設けた係合凹部と、前辺部に設けた凸部とがスナップ係合するように構成したものとしてある。
【００１５】
また前記係合手段を、前記凹部内に設けた通孔と、前辺部に設けた凸部とがスナップ係合するように構成し、これら凹部と凸部との係合状態においては、上記凸部が通孔を貫通してクリップ本体の前面側へ臨むように構成したものとしてある。
【発明の効果】
【００１６】
本発明のベルトクリップによれば、ベルトクリップを作業者の腰ベルトに係着した際、ベルトクリップにおけるクリップ片における折曲片部の前辺部また折曲片部の縁片がクリップ本体の凹部内に入り込むため、従来のように、クリップ片における折曲片部の縁片がクリップ本体の背面上に位置しないので、腰ベルトが入るクリップ片とクリップ本体により形成される空間（通孔）の幅を、作業者が装着する腰ベルトの幅に合わせて幅を小にすることができる。
【００１７】
また、ベルトクリップの腰ベルトからの脱落防止においては、作業中にベルトクリップやこのベルトクリップに保持する巻尺が外部部材等に引っ掛かったことでベルトクリップのクリップ本体が上方に持ち上げられ、その結果、クリップ片の下端部分が腰ベルトの下端部分によって下方に引っ張られた場合は、クリップ片における折曲片部の前辺部近傍がクリップ本体の凹部下端部分に当接して、この凹部下端部分によってクリップ片を開離させる動きが抑止されるので、クリップ片とクリップ本体により形成される空間（通孔）に、腰ベルトが抜け出せる隙間が発生せず、したがってベルトクリップが腰ベルトから脱落することがない。
【００１８】
そして、クリップ片をクリップ本体から離間させる動きに対する抑止を、従来のクリップ片の折曲片部また縁片の強度で抗するものに比して、この折曲片部また縁片の強度を小にでき、したがってクリップ片の折曲片部また縁片を細く形成することができ、またこのクリップ片の折曲片部また縁片が入り込むクリップ本体の凹部の深さも浅くでき、かつクリップ本体の厚みも小にすることができる。
【００１９】
このように、腰ベルトが入るクリップ片とクリップ本体により形成される空間（通孔）の幅を小にでき、かつクリップ本体の厚みも小にできるので、ベルトクリップ全体の厚みが小になり、このベルトクリップでケース幅が大の巻尺を保持する場合も、巻尺がベルトクリップ面より出張る高さが小になるので、保持感覚を格段に向上させることができる。
したがって、ベルトクリップによる巻尺の保持に違和感を感ずることがないので、腰ベルトに巻尺を携帯していても現在行っている作業に集中でき、作業を安全に行うことができる。
【発明を実施するための最良の形態】
【００２０】
以下、本発明の巻尺用ベルトクリップを添付図面に基づいて説明する。
本発明の巻尺用ベルトクリップ１は、図１、２に示すように、クリップ本体２の前面に、巻尺９に設けた磁気吸着可能な金属部材を配設する磁着部１０に磁気吸着してこの巻尺９を保持する（図６参照）保持手段となるマグネット３を備え、またクリップ本体２の背面に、作業者が身に付ける腰ベルト５に係着するためのクリップ片４を設けている。
【００２１】
クリップ片４は、上方部分がクリップ本体２の背面側すなわちマグネット３の設置側と反対側の上端部に接続されていて、弾性によって撓むことができ、クリップ片の下部がクリップ本体２から外力によって離開できるように構成してあり、またクリップ片４の下方部分における折曲片部４ａの前辺部４ｂが、クリップ片４の復帰位置においてクリップ本体２に形成する凹部２ａ内に臨むように構成している。
【００２２】
またクリップ片４が復帰位置において、このクリップ片４とクリップ本体２によって作業者が身に付ける腰ベルト５を入れ込む空間８が形成される。
【００２３】
そして、クリップ片４を腰ベルト５に係着する際は、図２（ａ）に示すように、クリップ片４の下方部分を図中の矢印の方向に引き、クリップ片４における折曲片部４ａの前辺部４ｂをクリップ本体２の凹部２ａ内から引き出し、図２（ｂ）に示すように、クリップ片４における前辺部４ｂとクリップ本体２との間に隙間を開けて、この隙間より腰ベルト５を入れ込みベルトクリップ１を腰ベルト５に係着するようになっている。また、腰ベルト５の挿入後はクリップ片４の弾性復元力により、図２（ａ）のように、クリップ片４の前辺部４ｂがクリップ本体２の凹部２ａ内の位置に戻る。
【００２４】
また図３から図１０に示すベルトクリップ１は、図１、２に示すベルトクリップ１のクリップ片４における折曲片部４ａの前辺部４ｂに、上方に立ち上がる縁片４ｃを設け、この縁片４ｃが、クリップ片４の復帰位置においてクリップ本体２に形成する凹部２ａ内に臨むように構成している。
【００２５】
そして、前辺部４ｂから上方に立ち上がる縁片４ｃを設けたクリップ片４を腰ベルト５に係着する際は、図４（ａ）に示すように、クリップ片４の下方部分を図中の矢印の方向に引き、クリップ片４の折曲片部４ａにおける前辺部４ｂの縁片４ｃをクリップ本体２の凹部２ａ内から引き出し、図４（ｂ）に示すように、クリップ片４の折曲片部４ａにおける前辺部４ｂの縁片４ｃとクリップ本体２との間に隙間を開けて、この隙間より腰ベルト５を入れ込みベルトクリップ１を腰ベルト５に係着するようになっている。また、腰ベルト５の挿入後はクリップ片４の弾性復元力により、図４（ａ）のように、クリップ片４の折曲片部４ａにおける前辺部４ｂの縁片４ｃがクリップ本体２の凹部２ａ内の位置に戻る。
【００２６】
そして、図５に示す拡大図のように、クリップ片４の折曲片部４ａにおける前辺部４ｂの縁片４ｃの空間８側の面をクリップ本体２における空間８側の面と面一としてある。しかしながら、図には示していないが、縁片４ｃの空間８側の面がクリップ本体２における空間８側の面よりも凹２ａ内に没するように縁片４ｃを凹２ａ内に位置させる場合もある。
【００２７】
また、クリップ本体２の凹部２ａ内におけるクリップ本体２とクリップ片４の折曲片部４ａにおける前辺部４ｂの縁片４ｃとを係着できるようにして、作業中にベルトクリップ１やこのベルトクリップ１に保持する巻尺９が外部部材等に引っ掛かることで、クリップ片４の下方部分を開離すなわちクリップ片４の折曲片部４ａにおける前辺部４ｂの縁片４ｃをクリップ本体２の凹２ａ内から引き出す動きを大に抑止できるようにする場合もある。
【００２８】
このクリップ片４の下方部分を開離すなわちクリップ片４の折曲片部４ａにおける前辺部４ｂの縁片４ｃをクリップ本体２の凹２ａ内から引き出す動きを抑止する構造としては、図７に示すように、クリップ本体２における凹部２ａ内の下端部分に係合凹部２ｂを設け、またクリップ片４の折曲片部４ａにおける前辺部４ａの下端部分に係合凸部４ｄを設けて、この係合凸部４ｄをクリップ本体２における凹部２ａ内の係合凹部２ｂに嵌合する場合もある。
【００２９】
また、図８に示すように、クリップ本体２における凹部２ａ内の底面部分に奥広係合凹部２ｃを設け、またクリップ片４の折曲片部４ａにおける前辺部４ｂの縁片４ｃのクリップ本体２における凹部２ａの底面側の面に膨出凸部６を設けて、この膨出凸部６をクリップ本体２における凹部２ａ内の奥広係合凹部２ｃに圧嵌すなわちスナップ係合する場合もある。
【００３０】
また、図９に示すように、クリップ本体２における凹部２ａ内の底部とマグネット３の配設側に設けたすり鉢部２ｅに貫通する通孔２ｄを設け、またクリップ片４の折曲片部４ａにおける前辺部４ｂの縁片４ｃのクリップ本体２における凹部２ａの底面側の面に膨出頭部７ａを備えるピン７を設けて、このピン７を、通孔２ｄに圧挿するとともに、ピン７の膨出頭部７ａをクリップ本体２のすり鉢部２ｅに圧嵌すなわちスナップ係合する場合もある。
【００３１】
図６中の符号１１は、巻尺９の測定テープ（図示は省略）の先端に配設するフックである。
【００３２】
なお、上述した実施例のものにおいては、クリップ片４が撓むことができる構成のものとしてあるが、クリップ片は撓まず、クリップ本体２を可撓性を有する構成とし、クリップ本体を撓ませてクリップ片との間を離開できるように構成する場合もある。
【図面の簡単な説明】
【００３３】
【図１】本発明に係る巻尺用ベルトクリップを示す斜視図。
【図２】ベルトクリップの図１中に示すＡ−Ａ部分の断面図。
【図３】前辺部に縁片を設けた巻尺用ベルトクリップを示す斜視図。
【図４】ベルトクリップの図３中に示すＢ−Ｂ部分の断面図。
【図５】図３中に示す巻尺用ベルトクリップの一部拡大断面図。
【図６】ベルトクリップに巻尺を保持した状態を示す側面図。
【図７】ベルトクリップにおける下方部分の他の形態を示す一部拡大断面図。
【図８】ベルトクリップにおける下方部分の他の形態を示す一部拡大断面図。
【図９】ベルトクリップにおける下方部分の他の形態を示す一部拡大断面図。
【図１０】腰ベルトに係着した巻尺用ベルトクリップを示す斜視図。
【図１１】従来の巻尺用ベルトクリップを示す断面図。
【符号の説明】
【００３４】
１  ベルトクリップ
２  クリップ本体
２ａ  凹部
２ｂ  係合凹部
２ｃ  奥広係合凹部
２ｄ  通孔
２ｅ  すり鉢部
３  マグネット
４  クリップ片
４ａ  折曲片部
４ｂ  前辺部
４ｃ  縁片
４ｄ  係合凸部
５  腰ベルト
６  膨出凸部
７  ピン
７ａ  膨出頭部
８  空間
９  巻尺
１０  磁着部
１１  フック
１２  クリップ本体
１２ａ  凸部
１３  クリップ片
１３ａ  折曲片部
１３ｂ  前辺部
１３ｃ  縁片
１３ｄ  遊端部
１４  腰ベルト
【図１】
2008145331.tif 000003
【図２】
2008145331.tif 000004
【図３】
2008145331.tif 000005
【図４】
2008145331.tif 000006
【図５】
2008145331.tif 000007
【図６】
2008145331.tif 000008
【図７】
2008145331.tif 000009
【図８】
2008145331.tif 000010
【図９】
2008145331.tif 000011
【図１０】
2008145331.tif 000012
【図１１】
2008145331.tif 000013